(57)【要約】      （修正有）【課題】ズボンの折り目が崩れないようにして、容易にズボンの下端を係合することができるズボンハンガーの提供。【解決手段】フック部材２と、支持梁部７を有するハンガー部材３と、一方の端部にひも側第一端部を有し、他方の端部に第二端部を有するひも８と、上部に握り部とバネを有し、中部に挟持ち部を有し、下部に挟込み部を有するクリップ９から構成され、前記ひも側第一端部は前記支持梁部に結びつけることにより係合されており、前記クリップは前記ひも側第二端部に結びつけられることにより係合される。ズボンを前記支持梁部に載せ、前記クリップでズボンを支持梁部に挟み込む。【選択図】図１
2012130615.tif 000002
【特許請求の範囲】
【請求項１】
ズボンをつり下げるためのズボンハンガーであって、
上部に鈎状部を有し、中部に軸部を有し、下部に係止部を有するフック部材と、
上部に係合部を有し、中部に第一傾斜梁部、および、第二傾斜梁部を有し、下部に支持梁部を有するハンガー部材と、
一方の端部にひも側第一端部を有し、他方の端部にひも側第二端部を有するひもと、
上部に握り部とバネを有し、中部に挟持ち部を有し、下部に挟込み部を有するクリップと、
を有し、        
前記係合部は、上部に係合部側上面部を有し、下部に係合部側下面部を有し、前記係合部側上面部から前記係合部側下面部に向けて取付孔を有し、    
前記フック部材と前記ハンガー部材は、前記軸部が前記取付孔に回転可能なように挿着されているとともに、前記係止部が前記係合部側下面部から突出して前記係合部側下面部と係着することによって係合されており、
前記支持梁部と前記ひもは、前記支持梁部に前記ひも側第一端部の近傍が結びつけられることによって係合されており、
前記ひもと前記クリップは、前記ひも側第二端部の近傍が前記握り部、前記バネ、前記挟持ち部のうちのいずれか１つに結びつけられていることによって係合されていることを特徴とする第一ズボンハンガー。
【請求項２】
前記支持梁部と前記ひもは、前記支持梁部に前記ひも側第一端部の近傍が結びつけられることによって係合されていることに代えて、
前記第一傾斜梁部、前記第二傾斜梁部、前記係合部、前記フック部材のうちのいずれか１つと前記ひもは、前記第一傾斜梁部、前記第二傾斜梁部、前記係合部、前記フック部材のうちのいずれか１つに前記ひも側第一端部の近傍が結びつけられることによって係合されていることを特徴とする請求項１に記載のズボンハンガー。
【請求項３】
ズボンをつり下げるためのズボンハンガー梁部材であって、
上部に前記第一傾斜梁部、および、前記第二傾斜梁部を有し、下部に前記支持梁部を有するハンガー梁部材と、
一方の端部にひも側第一端部を有し、他方の端部にひも側第二端部を有するひもと、
上部に握り部とバネを有し、中部に挟持ち部を有し、下部に挟込み部を有するクリップと、
を有し、
前記支持梁部と前記ひもは、前記支持梁部に前記ひも側第一端部の近傍が結びつけられることによって係合されており、
前記ひもと前記クリップは、前記ひも側第二端部の近傍が前記握り部、前記挟持ち部、前記バネのうちのいずれか１つに結びつけられていることによって係合されていることを特徴とするズボンハンガー梁部材。
【請求項４】
前記支持梁部と前記ひもは、前記支持梁部に前記ひも側第一端部の近傍が結びつけられることによって係合されていることに代えて、
前記第一傾斜梁部、前記第二傾斜梁部のうちのいずれか１つと前記ひもは、前記第一傾斜梁部、前記第二傾斜梁部のうちのいずれか１つに前記ひも側第一端部の近傍が結びつけられることによって係合されていることを特徴とする請求項３に記載のズボンハンガー梁部材。
【請求項５】
前記ひもの長さは７０ｃｍ以上であり１２０ｃｍ以下であることを特徴とする請求項１、あるいは、請求項２のうちのいずれか１つに記載のズボンハンガー。
【請求項６】
前記ひもの長さは７０ｃｍ以上であり１２０ｃｍ以下であることを特徴とする請求項３、あるいは、請求項４のうちのいずれか１つに記載のズボンハンガー梁部材。
【発明の詳細な説明】
【技術分野】
【０００１】
本発明は、ズボンをつり下げることができるズボンハンガーに関する。
【背景技術】
【０００２】
ズボンの着衣者がズボンを脱いだ後には、ズボンをズボンハンガーに掛けて吊り下げておくことが多い。
また、ズボンの着衣者は、ズボンの全体を重量があるズボン側上端部で引っ張ってズボン側正面部とズボン側背面部に折り目を付けるために、ズボン側下端部をズボンハンガーに係合して、ズボンをズボンハンガーに掛けて吊り下げておくことが多い。
しかし、ズボンの全体を重量があるズボン側上端部で引っ張ってズボン側正面部とズボン側背面部に折り目を付けるためには、ズボン側正面部とズボン側背面部の折り目が崩れないようにするためにズボン側下端部を押さえながら、ズボンハンガーのクリップの握り部を握って挟込み部を開いて、ズボン側下端部の近傍をズボンハンガーに係合しなればならないので大変手間がかかる。
また、ズボン側正面部とズボン側背面部の折り目が崩れないようにズボン下端部を整えていても、ズボン側下端部の近傍をズボンハンガーに係合する際に、ズボン側正面部とズボン側背面部の折り目が崩れてしまうことがある。
【０００３】
背景技術には、特許文献１がある。
特許文献１に示すズボンハンガーは、ズボン側正面部とズボン側背面部の折り目が崩れないようにするためにズボン側下端部を押さえながら、ズボンハンガーのクリップの握り部を握って挟込み部を開いて、ズボン側下端部の近傍をズボンハンガーに係合しなればならないので大変手間がかかる。
また、ズボン側正面部とズボン側背面部の折り目が崩れないようにズボン側下端部を整えていても、ズボン側下端部の近傍をズボンハンガーに係合する際に、ズボン側正面部とズボン側背面部の折り目が崩れてしまうことがある。
【０００４】
【特許文献１】特許公開２００２−２３８７２８公報
【発明の開示】
【発明が解決しようとする課題】
【０００５】
本発明は、ズボン側正面部とズボン側背面部の折り目が崩れないようにしながら、容易にズボン側下端部を係合することができるズボンハンガーを提供することを目的とする。
【課題を解決するための手段】
【０００６】
上記課題を解決するために、本発明のズボンハンガーは、フック部材とハンガー部材とひもとクリップで構成される。
【０００７】
フック部材は、上部に鈎状部を有し、中部に軸部を有し、下部に係止部を有する。
ハンガー部材は、上部に係合部を有し、中部に第一傾斜梁部、および、第二傾斜梁部を有し、下部に支持梁部を有する。
係合部は、上部に係合部側上面部を有し、下部に係合部側下面部を有し、係合部側上面部から係合部側下面部に向けて取付孔を有する。   
ひもは、一方の端部にひも側第一端部を有し、他方の端部にひも側第二端部を有する。
クリップは、上部に握り部とバネを有し、中部に挟持ち部を有し、下部に挟込み部を有する。
フック部材とハンガー部材は、軸部が取付孔に回転可能なように挿着されているとともに、係止部が係合部側下面部から突出して係合部側下面部と係着することによって係合されている。
【０００８】
支持梁部とひもは、支持梁部にひも側第一端部の近傍が結びつけられることによって係合されている。
ひもとクリップは、ひも側第二端部の近傍が前記握り部、前記挟持ち部、前記バネのうちのいずれか１つに結びつけられることによって係合されている
【０００９】
本発明のズボンハンガーの使用方法について説明する。
ズボンは、上端にズボン側上端部を有し、正面にズボン側正面部を有し、背面にズボン側背面部を有し、下端にズボン側下端部を有する。
ズボン側正面部とズボン側背面部に折り目がつくようにズボン側下端部を整えてから、ズボン側下端部の近傍を支持梁部に載せる。
あるいは、ズボン側下端部の近傍を支持梁部に載せてから、ズボン側正面部とズボン側背面部に折り目が付くようにズボン側下端部を整えてもよい。
ズボン側下端部が整ったら、クリップの握り部を握って挟込み部を開く。
クリップでズボン側下端部の近傍と支持梁部を挟み込む。
握り部を握ることを解除して、バネの力で挟込み部を閉じれば、クリップでズボンはズボンハンガーに係合されてズボンハンガーに吊り下げられる。
【発明の効果】
【００１０】
ズボン側正面部とズボン側背面部の折り目が崩れないようにしてズボンをズボンハンガーに載せてから、クリップでズボンをズボンハンガーに係合することができる。
【発明を実施するための最良の形態】
【００１１】
図面に基づいて発明を実施するための最良の形態を説明する。
【実施例１】
【００１２】
実施例１のズボンハンガー１は、図１、図２、図３に示すように、フック部材２とハンガー部材３とひも８とクリップ９で構成される。
【００１３】
フック部材２は、図４に示すように、上部に鈎状部２ａを有し、中部に軸部２ｂを有し、下部に係止部２ｃを有する。
フック部材２の断面形状は、円形、楕円形、正方形、長方形など、ありとあらゆる形状がありうる。
フック部材２はプラスチック、合成樹脂、鉄、アルミ、ステンレスなどで構成されている。
ハンガー部材３は、図１、図２、図３に示すように、上部に係合部４を有し、中部に第一傾斜梁部５、および、第二傾斜梁部６を有し、下部に支持梁部７を有する。
係合部４には、図４に示すように、係合部側上面部４ａから係合部側下面部４ｃに向けて取付孔４ｂが設けられている。
フック部材２とハンガー部材３は、図１、図２、図３に示すように、フック部材２と係合部４を係合することによって係合する。
フック部材２とハンガー部材３は、図１、図２、図３に示すように、軸部２ｂが取付孔４ｂに回転可能なように挿着されているとともに、係止部２ｃが係合部側下面部４ｃから突出して係合部側下面部４ｃと係着することによって係合されている。
フック部材２の係止部２ｃには、図４に示すように、略中央部にすき間が設けられている。
図５(ａ)に示すように、フック部材２の係止部２ｃを係合部側上面４ａから取付孔４ａに挿入して取付孔４ａを通過する際には、図５(ｂ)に示すように、フック部材２の係止部２ｃの略中央部に設けてられているすき間は縮まる。
図５(ｃ)に示すように、フック部材２の係止部２ｃは、係合部側下面４ｃから突出すると、フック部材２の係止部２ｃの略中央部に設けてられているすき間は広がる。
図５(ｃ)に示すように、フック部材２の係止部２ｃが係合部側下面４ｃから突出して、フック部材２の係止部２ｃの略中央部に設けてられているすき間が広がると、フック部材２が係合部４から脱出することを防ぐことができる。
係合部４の断面形状は長方形、正方形、円形、楕円形など、ありとあらゆる形状がありうる。
第一傾斜梁部５と第二傾斜梁部６と支持梁部７の断面形状は、円形、楕円形、正方形、長方形など、ありとあらゆる形状がありうる。
ハンガー部材３はプラスチック、合成樹脂、鉄、アルミ、ステンレスなどで構成されている。
ひも８は、図６に示すように、一方の端部にひも側第一端部８ａを有し、他方の端部にひも側第二端部８ｂを有する。
ひも８は、繊維、合成繊維、ゴム、ゴムひもなどで構成されている。
クリップ９は、図６に示すように、上部に握り部９ａとバネ９ｂを有し、中部に挟持ち部９ｃを有し、下部に挟込み部９ｄを有する。
握り部９ａとバネ９ｂは接触している。
クリップ９はプラスチック、合成樹脂、鉄、アルミ、ステンレスなどで構成されている。
【００１４】
支持梁部７とひも８は、図６に示すように、支持梁部７にひも８のひも側第一端部８ａの近傍が結びつけられることによって係合されている。
ひも８とクリップ９は、図６に示すように、ひも８のひも側第二端部８ｂの近傍が握り部９ａ、バネ９ｂ、挟持ち部９ｃのうちのいずれか１つに結びつけられていることによって係合されている。
【００１５】
本発明のズボンハンガー１の使用方法について説明する。
ズボン１０は、図７から図１１に示すように、上端にズボン側上端部１０ａを有し、正面にズボン側正面部１０ｂを有し、背面にズボン側背面部１０ｃを有し、下端にズボン側下端部１０ｄを有する。
図７に示すように、ズボン側正面部１０ｂとズボン側背面部１０ｃに折り目がつくようにズボン側下端部１０ｄを整えてから、ズボン側下端部１０ｄの近傍を支持梁７に載せる。
ただし、ズボン側下端部１０ｄの近傍を支持梁部７に載せてから、ズボン側正面部１０ｂとズボン側背面部１０ｃに折り目が付くようにズボン下端部１０ａを整えてもよい。
図８に示すように、ズボン側下端部１０ｄの近傍を支持梁７に載せたら、クリップ９の握り部９ａを握って挟込み部９ｄを開く。
図９に示すように、握り部９ａを握って挟込み部９ｄを開いたら、挟持ち部９ｃと挟込み部９ｄでズボン側下端部１０ｄの近傍と支持梁部７を挟み込む。
図１０に示すように、握り部９ａを握ることを解除して、バネ９ｂの力で挟込み部９ｃを閉じれば、ズボン側下端部１０ｄの近傍はクリップ９で支持梁７に係合されて、ズボン１０はズボンハンガー１に吊り下げられる。
ただし、本発明のズボンハンガー１は、図１１に示すように、ズボン側上端部１０ａの近傍を支持梁７に載せてクリップ９で支持梁７に係合して、ズボン１０をズボンハンガー１に吊り下げてもよい。
このほか、本発明のズボンハンガー１は、シャツ、Ｔシャツ、スカートなどのズボン以外の衣類やタオルやバスタオルをクリップ９で支持梁７に係合して、ズボンハンガー１に
吊り下げてもよい。
ひも８の長さは７０ｃｍ以上であり１２０ｃｍ以下であれば、ズボン側下端部１０ｄを支持梁７に載せてから、クリップ９をつかんで、クリップ９でズボン側下端部１０ｄを支持梁部に係合しやすい。
【実施例２】
【００１６】
実施例２のズボンハンガー１は、実施例１のズボンハンガー１の変形例である。
実施例２のズボンハンガー１は、図１２に示すように、第一傾斜梁部５とひも８は、第一支持柱側支持柱部５にひも側第一端部８ａの近傍が結びつけられることによって係合されている点が実施例１とは異なる。
ただし、ひも８は、第二傾斜梁部６にひも側第一端部８ａの近傍を結びつけて係合されていてもよい。
【実施例３】
【００１７】
実施例３のズボンハンガー１は、実施例１のズボンハンガー１の変形例である。
実施例３のズボンハンガー１は、図１３に示すように、係合部４のとひも８は、係合部側上面４ａの近傍にひも側第一端部８ａの近傍が結びつけられることによって係合されている点が実施例１とは異なる。
ただし、係合部４のとひも８は、係合部側下面４ｂの近傍に切り欠きなどのひも８を掛着するための掛着手段を設けて、ひも８が容易に外れないようにして、上部係合部側下面４ｂの近傍にひも側第一端部８ａの近傍を結びつけて係合してもよい。
【実施例４】
【００１８】
実施例４のズボンハンガー１は、実施例１のズボンハンガー１の変形例である。
実施例４のズボンハンガー１は、図１４に示すように、フック部材２とひも８は、フック部材２の軸部２ｂとひも側第一端部８ａの近傍が結びつけられることによって係合されている点が実施例１とは異なる。
ただし、フック部材２とひも８は、フック部材２の鈎状部２ａとひも側第一端部８ａの近傍に結びつけて係合してもよい。
【実施例５】
【００１９】
実施例５は、ズボンハンガー梁部材１１の発明である。
ズボンハンガー梁部材１１は、ハンガー梁部材１２とひも８とクリップ９で構成される。
【００２０】
ハンガー梁部材１２は、図１５、図１６に示すように、上部に第一傾斜梁部５と第二傾斜梁部６を有し、下部に支持梁部７を有する。
第一傾斜梁部５と第二傾斜梁部６と支持梁部７の断面形状は、円形、楕円形、正方形、長方形など、ありとあらゆる形状がありうる。
ハンガー梁部材１２はプラスチック、合成樹脂、鉄、アルミ、ステンレスなどで構成されている。
ひも８は、図１７に示すように、一方の端部にひも側第一端部８ａを有し、他方の端部にひも側第二端部８ｂを有する。
ひも８は、繊維、合成繊維、ゴム、ゴムひもなどで構成されている。
クリップ９は、図１７に示すように、上部に握り部９ａとバネ９ｂを有し、中部に挟持ち部９ｃを有し、下部に挟込み部９ｄを有する。
握り部９ａとバネ９ｂは接触している。
クリップ９はプラスチック、合成樹脂、鉄、アルミ、ステンレスなどで構成されている。
【００２１】
支持梁部７とひも８は、図１７に示すように、支持梁部７にひも８のひも側第一端部８ａの近傍が結びつけられることによって係合されている。
ひも８とクリップ９は、図１７に示すように、ひも８のひも側第二端部８ｂの近傍がクリップ９に結びつけられていることによって係合されている。
ひも８の長さは７０ｃｍ以上であり１２０ｃｍ以下であれば、ズボン側下端部１０ｄを支持梁７に載せてから、クリップ９をつかんで、クリップ９でズボン側下端部１０ｄを支持梁部に係合しやすい。
【００２２】
ハンガー用梁部材１１に、係合部４を接合したり、取り付けて、係合部４にフック部材２などを係合すれば、ズボンハンガー１を形成することができる。
【実施例６】
【００２３】
実施例６のズボンハンガー梁部材１１は、実施例５のズボンハンガー梁部材１１の変形例である。
実施例６のズボンハンガー梁部材１１は、図１８に示すように、第一傾斜梁部５とひも８は、第一支持柱側支持柱部５にひも側第一端部８ａの近傍が結びつけられることによって係合されている点が実施例５とは異なる。
ただし、ひも８は、第二傾斜梁部６にひも側第一端部８ａの近傍が結びつけられることによって係合されていてもよい。
【図面の簡単な説明】
【００２４】
【図１】ズボンハンガーの正面図である。
【図２】ズボンハンガーの斜視図である。
【図３】ズボンハンガーの使用状態を示す斜視図である。
【図４】フック部材と係合部の拡大正面図である。
【図５】(ａ)フック部材と係合部を係合する前のフック部材と係合部の拡大正面図である。(ｂ)フック部材と係合部を係合している間のフック部材と係合部の拡大正面図である。(ｃ)フック部材と係合部を係合した後のフック部材と係合部の拡大正面図である。
【図６】第一傾斜梁部と支持梁部とひもとクリップの拡大正面図である。
【図７】ズボンハンガーの支持梁部にズボンを載せた斜視図である。
【図８】ズボンハンガーの支持梁部にズボンを載せてクリップの挟込み部を開いた斜視図である。
【図９】ズボンの下端部とズボンハンガーの支持梁部をクリップの挟込み部で夾んだズボンハンガーの斜視図である。
【図１０】ズボンの下端部とズボンハンガーの支持梁部をクリップの挟込み部で夾んでズボンをズボンハンガーに係合したズボンハンガーの斜視図である。
【図１１】ズボンの上端部とズボンハンガーの支持梁部をクリップの挟込み部で夾んでズボンをズボンハンガーに係合したズボンハンガーの斜視図である。
【図１２】ハンガーの第一傾斜梁部にひも側第一端部が結びつけられているズボンハンガーの正面図である。
【図１３】ハンガーの係合部にひも側第一端部が結びつけられているズボンハンガーの正面図である。
【図１４】ハンガーのフック部材にひも側第一端部が結びつけられているズボンハンガーの正面図である。
【図１５】ズボンハンガー梁部材の正面図である。
【図１６】ズボンハンガー梁部材の斜視図である。
【図１７】第一傾斜梁部と支持梁部とひもとクリップの拡大正面図である。
【図１８】ズボンハンガー梁部材の第一傾斜梁部にひも側第一端部が結びつけられているズボンハンガー梁部材の正面図である。
【符号の説明】
【００２５】
１      ズボンハンガー
２      フック部材
２ａ    鈎状部
２ｂ    軸部
２ｃ    係止部
３      ハンガー部材
４      係合部
４ａ    係合部側上面部
４ｂ    取付孔
４ｃ    係合部側下面部
５      第一傾斜梁部
６      第二傾斜梁部
７      支持梁部
８      ひも
８ａ    ひも側第一端部
８ｂ    ひも側第一端部
９      クリップ  
９ａ    握り部
９ｂ    バネ
９ｃ    挟持ち部
９ｄ    挟込み部
１０    ズボン
１０ａ  ズボン上端部
１０ｂ  ズボン正面部
１０ｃ  ズボン背面部
１０ｄ  ズボン下端部
１１    ズボンハンガー梁部材
１２    ハンガー梁部材
【図１】
2012130615.tif 000003
【図２】
2012130615.tif 000004
【図３】
2012130615.tif 000005
【図４】
2012130615.tif 000006
【図５】
2012130615.tif 000007
【図６】
2012130615.tif 000008
【図７】
2012130615.tif 000009
【図８】
2012130615.tif 000010
【図９】
2012130615.tif 000011
【図１０】
2012130615.tif 000012
【図１１】
2012130615.tif 000013
【図１２】
2012130615.tif 000014
【図１３】
2012130615.tif 000015
【図１４】
2012130615.tif 000016
【図１５】
2012130615.tif 000017
【図１６】
2012130615.tif 000018
【図１７】
2012130615.tif 000019
【図１８】
2012130615.tif 000020